(57)【特許請求の範囲】
【請求項１】
流体収集容器;
表収納部；
収納室を形成するように、前記表収納部に固定的に組み合わされた裏収納部であって、前記収納室が、その内部に空洞が設けられ、前記収納室はその下部に開口を具備し、且前記収納室は流体収集容器に固定され装着されている裏収納部;
前記空洞内に位置付けられ、且前記収納室に対して固定されている止め具;
前記収納室に対して回転運動をするように前記空洞内に搭載されたスイッチであって、その上に形成された閉止部材を具備するスイッチ; 及び
前記流体収集容器の内部と流体的に連通した可撓性で弾力性のある管であって、前記管は前記空洞内に配置された一部分を有し、且前記止め具と前記スイッチの前記閉止部材との間に延びており、前記管はその下端から、前記収納室の前記下部にある前記開口を通して、流体を放出するようにされている管;
から成る装置であって、
前記止め具と前記閉止部材は、前記スイッチの回転により前記管の前記一部分が止め具と閉止部材との間で圧縮され、前記の管を通しての流体流動を阻止するように構成され;
それにより、前記スイッチを回転して前記閉止部材を前記止め具から離れるように回転させると、前記の管を開放させ、それにより前記の管を通しての流体流動を行なわせ、且前記収納室の下部にある前記開口を通して放出させるよう構成された装置。
【請求項２】
前記管の前記下端が前記収納室内に引き込められ、それにより、使用者が前記の管に直接接触することに起因する、汚染の可能性を極小化していることを特徴とする、請求項１の装置。
【請求項３】
前記収納室は、それを貫通する溝孔が更に設けられており、前記溝孔を貫通して延び、且前記溝孔内でそれを滑らせることにより前記スイッチが回転するように前記スイッチと作動可能な状態で連結された取っ手を更に備えていることを特徴とする請求項１の装置。
【請求項４】
前記スイッチが第一及び第二端部を具備する主軸を備えており、且前記収納室が互いに対向した一対の軸受を具備しており、更に前記スイッチが、前記軸受と回転可能状態で噛み合っている前記主軸の前記第一及び第二の端部によって、前記収納室に対して回転運動をするように、前記空洞内に搭載されていることを特徴とする請求項１の装置。
【請求項５】
さらに、前記スイッチを前記閉止位置に保持する掛金部材を備えることを特徴と請求項１の装置。
【請求項６】
さらに、前記スイッチを前記開放位置に保持する掛金部材を備えることを特徴と請求項５の装置。
【請求項７】
前記閉止部材を回転させると、前記管の前記部分が、前記止め具及び前記閉止部材の間で圧縮されて、前記スイッチを前記閉止位置に保持する掛金部材がスイッチを係止する前に、前記管を通る流体流動が阻止されるに至り、該管が閉じた状態を超えて圧縮されるようされる請求項５の装置。
【請求項８】
前記閉止部材がさらに、該閉止部材と連動して、前記スイッチを前記閉止位置に保持する掛金部材がスイッチを係止するときに、前記収納室の下部にある前記開口を閉止する遮蔽部を有する請求項７の装置。
【請求項９】
スイッチを回転することにより、前記管の前記部分が前記止め具と閉止部材との間で圧縮されて、前記遮蔽部が前記収納室の下部にある前記開口を閉止する前に、流体が前記管を通して流れるのを止める請求項８の装置。
【請求項１０】
スイッチが回転されて、前記閉止部材が前記止め具がら離されると、前記管が開かれるに十分な距離だけ、前記閉止部材が前記止め具から離れる前に、前記遮蔽部が前記開口を開く請求項８の装置。
【請求項１１】
遮蔽部がスイッチに連結されスイッチと共に回転する請求項８の装置。
【請求項１２】
スイッチを開放位置に保持するための掛金部材を有する請求項１の装置。
【請求項１３】
前記収納室が、その下方に設けられた出口管を有し、前記収納室の下部にある前記開口は、該出口管の下端に形成されており、前記可撓性で弾力性のある管は、該出口管から流体を放出するようにされた請求項１の装置。
【請求項１４】
前記管に近接し前記管と平行な立壁を前記収納室の空洞内に有し、前記止め具が、該立壁に設けられ、前記管方向に突き出た突起を有する請求項１の装置。
【請求項１５】
止め具がほぼ半球状である請求項１４の装置。
【請求項１６】
止め具が該立壁上で、前記管の下端から離れた位置に設けられている請求項１４の装置。
【請求項１７】
前記スイッチが閉止部材から延びる腕部を有し、前記スイッチを回転して前記管の前記一部分を、止め具と閉止部材との間で圧縮し、さらに該スイッチを回転すると、前記腕部が、該止め具と閉止部材との間の該管の部分の下方に延びる部分を前記立壁に押し付け該下方に延びる部分内の液体を該管の下端から押し出すようにされた請求項１４の装置。
【請求項１８】
流体収集容器;
表収納部；
収納室を形成するように、前記表収納部に固定的に組み合わされた裏収納部であって、前記収納室が、その内部に空洞が設けられ、前記収納室はその下部に開口を具備し、且前記収納室は流体収集容器に取り付けられている裏収納部;
前記空洞内に位置付けられ、且前記収納室に対して固定されている止め具;
前記収納室に対して回転運動をするように前記空洞内に搭載されたスイッチであって、その上に形成された閉止部材を具備するスイッチ; 及び
前記流体収集容器の内部と流体的に連通した可撓性で弾力性のある管であって、前記管は前記空洞内に配置された一部分を有し、且前記止め具と前記スイッチの前記閉止部材との間に延びており、前記管はその下端から、前記収納室の前記下部にある前記開口を通して、流体を放出するようにされており、該管の下端が前記収納室の内部に引き込められ、該下端に使用者が直接触れることにより汚染される可能性を極小化させるようされた管;
から成る装置であって、
前記止め具と前記閉止部材は、前記スイッチの回転により前記管の前記一部分が止め具と閉止部材との間で圧縮され、前記の管を通しての流体流動を阻止するように構成され;
それにより、前記スイッチを回転して前記閉止部材を前記止め具から離れるように回転させると、前記の管を開放させ、それにより前記の管を通しての流体流動を行なわせ、且前記収納室の下部にある前記開口を通して放出させるよう構成された装置。
【請求項１９】
前記収納室は、それを貫通する溝孔が更に設けられており、前記溝孔を貫通して延び、且前記溝孔内でそれを滑らせることにより前記スイッチが回転するように前記スイッチと作動可能な状態で連結された取っ手を更に備えていることを特徴とする請求項１８の装置。
【請求項２０】
前記スイッチが第一及び第二端部を具備する主軸を備えており、且前記収納室が互いに対向した一対の軸受を具備しており、更に前記スイッチが、前記軸受と回転可能状態で噛み合っている前記主軸の前記第一及び第二の端部によって、前記収納室に対して回転運動をするように、前記空洞内に搭載されていることを特徴とする請求項１８の装置。
【請求項２１】
さらに、前記スイッチを前記閉止位置に保持する掛金部材を備えることを特徴と請求項１８の装置。
【請求項２２】
前記閉止部材を回転させると、前記管の前記部分が、前記止め具及び前記閉止部材の間で圧縮されて、前記スイッチを前記閉止位置に保持する掛金部材がスイッチを係止する前に、前記管を通る流体流動が阻止されるに至り、該管が閉じた状態を超えて圧縮されるようされる請求項２１の装置。
【請求項２３】
前記閉止部材がさらに、該閉止部材と連動して、前記スイッチを前記閉止位置に保持する掛金部材がスイッチを係止するときに、前記収納室の下部にある前記開口を閉止する遮蔽部を有する請求項２２の装置。
【請求項２４】
スイッチを回転することにより、前記管の前記部分が前記止め具と閉止部材との間で圧縮されて、前記遮蔽部が前記収納室の下部にある前記開口を閉止する前に、流体が前記管を通して流れるのを止める請求項２３の装置。
【請求項２５】
スイッチが回転されて、前記閉止部材が前記止め具から離されると、前記管が開かれるに十分な距離だけ、前記閉止部材が前記止め具から離れる前に、前記遮蔽部が前記開口を開く請求項２３の装置。
【請求項２６】
遮蔽部がスイッチに連結されスイッチと共に回転する請求項２３の装置。
【請求項２７】
スイッチを開放位置に保持するための掛金部材を有する請求項１８の装置。
【請求項２８】
前記収納室が、その下方に設けられた出口管を有し、前記収納室の下部にある前記開口は、該出口管の下端に形成されており、前記可撓性で弾力性のある管は、該出口管から流体を放出するようにされた請求項１８の装置。
【請求項２９】
前記管に近接し前記管とほぼ平行な立壁を前記収納室の空洞内に有し、前記止め具が、該立壁に設けられ前記管方向に突き出た突起を有する請求項１８の装置。
【請求項３０】
止め具がほぼ半球状である請求項２９の装置。
【請求項３１】
止め具が該立壁上で、前記管の下端から離れた位置に設けられている請求項２９の装置。
【請求項３２】
前記スイッチが閉止部材から延びる腕部を有し、前記スイッチを回転して前記管の前記一部分を、止め具と閉止部材との間で圧縮し、さらに該スイッチを回転すると、前記腕部が、該止め具と閉止部材との間の該管の部分の下方に延びる部分を前記立壁に押し付け該下方に延びる部分内の液体を該管の下端から押し出すようにされた請求項２９の装置。
【発明の詳細な説明】
【０００１】
（技術分野）
本発明は、一般的には尿収集容器に関し、より具体的には尿収集容器の内容物を放出するための排出管組立物に関する。
【０００２】
（発明の背景）
尿収集袋はよく知られている。このような収集袋は、導尿管からの尿を受け取って貯蔵する。袋が満杯になると、袋に設けられた出口部を通して空にされる。出口部は、分析用の尿を収集するのにも用いることが出来る。
【０００３】
出口部を通して袋を空にしたり尿試料を集めたりする健康医療関係者の問題点は、出口部を操作する時に尿を誤って自分にはね懸けないで装置を操作することに関するものである。一般に、操作者は片手で検体容器を保持しつつ、もう一方の手で出口部を操作しようとするであろう。或る種の出口部は片手での操作は扱いにくいことがある。加えて、或る種の出口部の操作は、出口部の操作時に時々放出流の方向を間違わせることがある。
【０００４】
このように、片手だけで信頼性よく操作でき、流体が放出される方向を制御できる出口部に対する必要性が存在する。好ましくは、このような出口部は操作が直観的に理解できるものでもあるべきである。
【０００５】
更に、バクテリア、菌類、その他の汚染物質を操作者の手から管に伝えて、汚染物質が袋の中にそれ故患者へ入る、又は管から操作者の手へ伝えて、不衛生な状況をもたらし操作者を感染や疾病に罹る恐れに曝す、といった可能性を極小化するか又は排除するように、操作者の指及び手を放出管に近接させないで操作できるような、出口管装置に対する必要性が存在する。
【０００６】
出口部を通して袋を空にしたり尿試料を集めたりする健康医療関係者のもう一つの問題点は、出口管機構により保護手袋が挟まれたり又は引き裂かれたりする可能性に関する。保護手袋の完全性が一旦傷つけられると、操作者は感染又は疾病の可能性に曝される。従って、出口管機構により操作者の保護手袋が挟まれたり又は引き裂かれたりしないで操作できる、出口管装置に対する必要性が存在する。
【０００７】
（発明の要約）
一般的に言えば、本発明は、上述の全ての必要性を満足する尿収集容器用改良排出管組立物から構成される。この排出管組立物は、片手だけで簡単に且確実に操作でき、その上使用者が直観的に理解して操作できるものである。更にそれは、特に排出管組立物の開閉時に流体が放出される方向を、操作者が制御できるようにさせる。それは更に、操作者の指及び手を放出管に近接して置かないで操作できる。バクテリア、菌類、その他の汚染物質を、操作者の手から、汚染物質が袋の中にそれ故患者に入る、管へと伝える可能性を極小化するか又は排除する。汚染物質を管から操作者の手へ伝えて、汚染物質が不衛生な状況をもたらし操作者を感染や疾病に罹る恐れに曝す、といった可能性が更に極小化されるか又は排除される。開示された実施態様の出口管装置は、出口管機構により操作者の保護手袋が挟まれたり又は引き裂かれたりしないで操作できる。
【０００８】
更にいくらか具体的に説明すると、本発明は流体収集容器用排出管組立物に関する。第一及び第二収納部が固定された関係で互いに重ね合されており、収納部を形成する。収納部は、流体収集容器に取り付けられ、その内部に空洞が設けられている。空洞内に止め具が配置され、収納部に対して固定されている。スイッチが、収納部に対して回転運動をするように空洞内に搭載されている。スイッチは、それ自身の上に形成された閉止部材を具備している。好ましい実施態様においては、スイッチは、収納部の外部からスイッチを回転させるための、収納部を貫通して延びた取っ手を具備している。流体収集容器の内部と流体的に連通した可撓性で弾力性のある管は、一部が空洞内に配置され、且スイッチの止め具と閉止部材との間に延びている。この管は、管の下端から放出された流体が収納部の下部にある開口を通して放出されるように設計されている。開示された実施態様において、管の端部は収納部の十分内部の凹所に配置され、操作者と管の放出端との間の過失による接触を防ぐ。スイッチが一方向に回転されると、管は止め具と閉止部材との間で圧縮され、それにより管を通しての流体流動は阻止される。開示された実施態様においては、スイッチを「閉止」位置まで回転すると、収納部の下端にある開口を閉じる位置に遮蔽部を回転させる。スイッチが反対方向に回転されると、閉止部材は、管が開くよう止め具から離れる方向に回転し、それにより流体流動は管を通して流体収集容器から放出させられる。
【０００９】
このように、尿収集容器用の改善された排出管組立物を提供することが、本発明の一つの目的である。
【００１０】
片手だけで簡単且確実に操作できる、尿収集容器用排出管組立物を提供することが、本発明のもう一つの目的である。
【００１１】
本発明の更にもう一つの目的は、特に排出管組立物の開閉時に流体が放出される方向を操作者が制御できるようにさせる、尿収集容器用排出管組立物を提供することである。
【００１２】
本発明のもう一つの目的は、直観的に理解して操作できる尿収集容器用排出管組立物を提供することである。
【００１３】
更に本発明のもう一つの目的は、バクテリア、菌類、その他の汚染物質を操作者の手から管に伝えて、汚染物質が袋の中にそれ故患者へ入る、又は管から操作者の手へ伝えて、不衛生な状況をもたらし操作者を感染や疾病に罹る恐れに曝す、といった可能性を極小化するか又は排除するように、操作者の指及び手を放出管に近接させないで操作できるような、出口管装置を提供することである。
【００１４】
本発明の他の目的、特徴、及び利点は、図面及び添付した請求項と関連付けて、以下の明細書を読むことにより明らかになるであろう。
【００１５】
【発明の実施の形態】
（開示した実施態様の詳細な説明）
数枚の図面に亘り同じ番号は同じ構成要素を示している図面を参照すると、図1は、収集袋12及び排出管組立物14を備えた尿収集容器10を示す。袋12は従来の設計によるもので、塩化ポリビニールなどの可撓性で非通気性のプラスチックで出来た、互いに突き合わせた表及び裏シートから成り、周縁部を加熱溶接して両者の間に中央収集室を形成している。
【００１６】
ここで図2を参照して、排出管組立物14は、出口開口部18、出口管20、表収納部22aと裏収納部22bから成る収納部22、及びスイッチ又は弁部材24から構成される。これらの各構成要素は、次に詳細に吟味されるであろう。
【００１７】
更に図2を参照して、出口開口部18は、袋12の下部へ溶接され袋の表面の孔（表示されていない）を塞いでいる成型プラスチック部品である。出口開口部18は袋12の表面に搭載された基部25を具備している。L形の導管又はエルボ26は、基部25から前方についで下に突き出ている。開口が出口開口部18の基部25を貫通して形成されており、且エルボ26の長さに亘って延びている。耳部27はエルボ26の前方に突き出た脚部28の側面に沿って形成され、耳部27の後端は出口開口部18の基部25からは離れている。上方に突き出た隆起部29は、エルボ26の前方に突き出た脚部28の上面に沿って形成されている。垂直な止め具30は、エルボ26の下方に伸びた脚部31上に形成されている。各止め具30の下端は、一般的にエルボ26の前方に突き出た脚部28の下端と位置合せされている。
【００１８】
出口管20は、短い可撓性で弾性のある管で、出口開口部18のエルボ26の下端外径より僅かに小さい内径を有する。出口管20は、上端32と下端33を具備している。出口管20の上端32はエルボ26の下端を覆うように差し込まれ、摩擦嵌合でその位置に保持される。出口管20は、このように袋12の内部と出口開口部18を介して流体的連通をしている。
【００１９】
次いで図3を参照して、裏収納部22bは凡そ円形の背板34、及び直立した周縁部の側壁35を具備している。裏収納部22bの背板34は、出口開口部18のエルボ26を受けるための開口36を備えている。開口36周縁の背板34の厚さは、出口開口部18における耳部27と基部25との間隔に一致している。上方に延びた切り欠き37が開口36の上縁に形成されている。直立した円筒状の壁からなる軸受38が背板34の中心に形成されている。溝孔39は裏収納部22bの側壁35内に形成され、正面から見て約12時の位置から3時の位置まで延びている。指取っ手40は、溝孔39の下端に隣接した側壁35から半径方向に外へ向かって延びている。
【００２０】
出口部41は、裏収納部22bの下端において側壁35内に形成されている。ほぼ垂直に直立した止め具42が、裏収納部22bの内部の左側に配置されている。一組の直立した鍔43、44が、それぞれほぼ12時と3時の位置に、側壁35に隣接した裏収納部22bの裏板34から上方へ突き出ている。弧状壁45は、側壁35と間隔を保って直立した鍔43、44の間に延びている。
【００２１】
次に図4を参照して、スイッチ24は主軸46を備えている。放射状スポーク48が主軸46から弧状壁50に向かって延びている。弧状壁50は主軸46を中心とする円の一部により定められる軌道を規定する。弧状壁50の下部は、更に以下に説明するように、遮蔽物51として役立つ。指受け取っ手52は、弧状壁50の上端から上方に延びている。L形腕部53は、主軸46から下方に弧状壁50の下端まで延びている。L形腕部53の角部の外縁が閉止要素54を構成する。留め金56、58が、放射状スポーク48のそれぞれ上側と下側の弧状壁50の内面に形成されている。
【００２２】
次に排出管組立物14の組立につき説明しよう。出口開口部18の基部25がRF溶接又はその他の方法で適切に袋12の前面壁に取り付けられる。出口管20の上端32は、イソプロピル・アルコールでの潤滑も選択肢であるが、出口開口部18のエルボ26の下端に滑り込ませてかぶせられる。出口管20は、出口管の上端32がエルボ26の下方に延びる脚部31に設けられた垂直な止め具30に対面するまで押し上げられる。出口管20は、摩擦嵌合により出口開口部18のエルボ26上に適切に保持される。
【００２３】
表及び裏収納部22a、22b並びにスイッチ24から成る排出管部分組立物が次に組み立てられる。スイッチ24は、主軸46の後端を裏収納部22bの共に動作する軸受38に差し込んで取り付けられる。スイッチ24の指受け取っ手52は、裏収納部22bの側壁35の溝孔39を貫通して延びている。指受け取っ手52が溝孔39を貫通して収納されないと取っ手が表及び裏収納部22a、22bの嵌合を妨げるので、スイッチ24の設計は、軽率に収納部22内へ反対向きに組み立てることは出来ないようになっている。表収納部22aは裏収納部22bに音波を使って溶接される。主軸46の前端は、表収納部22aの前面壁の内面上に在り共に動作する軸受（表示されていないが、裏収納部22b上の軸受38にほぼ一致している）の内部に回転できるように支持されている。
【００２４】
排出管部分組立物が次いで出口開口部18上に組み立てられる。出口管20の下端33は、裏収納部22bの背板34の開口36を通して収納される。裏収納部22bの背板34内で開口36の上縁部に在る切り欠き37内に収納されているエルボ26の、前方に突き出した脚部28の上面で上方に突き出ている隆起部29により、排出管部分組立物は出口開口部18を覆うように配置されている。開口36に隣接した裏収納部22bの背板34の一部は、排出管部分組立物を出口開口部上に保持するために、出口開口部18のエルボ26の側端部にある耳部27後方まで噛み合わされる。出口開口部18上にこうして組み立てられた排出管部分組立物により、出口管20の下端33は、裏収納部22bの下端にある出口部41の上方に位置付けられる。
【００２５】
このようにして組み立てられた排出管組立物14において、収納部22内部の弧状壁45は、物体が溝孔39の中へ落ち込むのを防ぎ、且誰かが溝孔39を覗き込んだ場合に排出管組立物の内部の動作を視覚的に遮蔽する。
【００２６】
排出管組立物14の操作が、図5〜7を参照して次に説明されるであろう。先ず図5を参照すると、排出管組立物10はその「開放」状態に在る。スイッチ24は、スイッチの取っ手52が裏収納部22bの側壁35にある溝孔39の上端に来るように反時計回りに回転されている。この位置では、閉止要素54は出口管20に対して圧縮力をほとんど乃至全くおよぼさない。スイッチ24の弧状壁50の内面に在る留め金56は、スイッチを「開放」位置に保持するために、裏収納部22bの背板34から上方に伸びている鍔43と噛み合う。スイッチ24を「開放」位置に保持するためのこの掛金機構は、スイッチを開放状態に保持するのに操作者が居なくても袋の排出ができるので、操作者の観点から望ましいものである。この位置のスイッチにおいて、スイッチの遮蔽部51は収納部22下端の出口部41から離れるように回転している。図7に見られるようにスイッチ24が開放位置（実線）に在る時、取っ手52は表収納部22aの表面上の標識70と位置合せされている。
【００２７】
排出管組立物14を閉止するために、スイッチ24の取っ手52は図6に示すように、溝孔39の下端に達するまで時計回りに回転される。スイッチ24を容易に回転させるために、操作者は親指をスイッチの取っ手52の上に置き、残りの指の一本を裏収納部22bの取っ手40の上に置いて握り締める。スイッチ24が回転すると、閉止部材54は可撓性の出口管20と接触し、それを止め具42に押し付けて管の内腔を締め切って流体流動を妨げる。スイッチ24の弧状壁50内面の下部留め金58は、裏収納部22bの鍔44と噛み合いスイッチを閉止位置に保持する。図7に見られるように、スイッチ24が閉止位置（仮想線）に在る時、取っ手52は表収納部22aの表面上の標識72と位置合せされている。
【００２８】
更に図6に見るように、スイッチ24が閉止されるとスイッチの遮蔽部51は収納部22の下端にある出口部41を覆う位置にまで回転する。このように出口部41を覆う遮蔽部51により、操作者の指又はその他の異物が出口管20の下端に接触して汚染の原因となる可能性が排除される。遮蔽部51は、更に排出管組立物14内部の動作が視野から消されるという、美的利点が得られる。
【００２９】
袋の排出をする、又は分析用の検体を集めるため排出管組立物14を開放するに際し、スイッチ24の取っ手52は反時計回りに回転される。スイッチ24が回転すると、遮蔽部51が上方に回転し、収納部の下端にある出口部41の覆いが無くなる。スイッチ24を更に回転すると、閉止部材54を出口管20から外れさせる。出口管20の弾力性及び袋12の内容物が及ぼす流体圧が管を開放させ、出口管20の下端32から、次いで収納部の下端にある出口部41を通して、流体が放出される。排出管組立物14を開放位置に維持することが望まれるならば、スイッチ24を反時計回りに一杯の位置まで回すことが、スポーク48の上側の留め金56を上側の鍔43と噛み合いをさせ、それによってスイッチを開放位置に固定する。収納部22の放出端にある出口部41が、排出管組立物14から流体が放出される方向を制御できるように形が造られていることは、評価されるに足るであろう。出口部41は放出が何処に向けられるかについて操作者に目で見える合図を与える。
【００３０】
スイッチ24は、閉止された時に、可撓性出口管20が管の内腔を閉じるのに必要に点を越えて圧縮されるように設計されている。この設計理由は、スイッチ24が開放された時、管がまだ閉じている状態でスイッチが短い距離だけ回転できるためである。この回転は、出口管20が開いて流体が放出され始めるまでに遮蔽物が邪魔にならないところに行くよう、遮蔽部51に出口部から回転して離れる機会を与える。
【００３１】
開示された実施態様の特徴は、使用者が「開放」又は「閉止」位置に固定されたという三つの型の明確な確認 ----- 目視による、触覚による、及び聴覚による ----- を得られることである。スイッチ24が完全に開放又は閉止されたとき、操作者は取っ手52が表収納部22a表面の標識70、72と位置が合っていると言う点において、視覚による確認を得る。加えて、留め金56又は58が対応する鍔43又は44に噛み合わされたとき、正しい位置にカチッと締まり操作者に感じられる振動を発生する。最後にカチッと締まる動作が耳に聞こえる「カチッ」という音を発生し、操作者により聞き取られる。操作者が暗くされた又はほのかに照明された部屋の中で働いている、又は操作者が容易に視覚による指標を見られないような目の高さよりかなり低い所に袋が吊り下げられているような、病院環境においては、触覚及び聴覚による確認は非常に好都合なものであり得る。
【００３２】
開示された実施態様のもう一つの特徴は、スイッチ24が一点ではなく管のある長さに沿って出口管20を圧縮することである。図6に見られるように、スイッチ24が閉止位置に在る時、閉止要素54ばかりでなくL形腕部53の下端も亦出口管20に対向して堪えており、管をその下端までの全体に亘って圧縮している。この作用は、出口管20の下端で内壁に付着しているかもしれない尿の残りの数滴までも搾り出し、後から時期を失した時に残った尿が滴り落ちるのを防ぐ。
【００３３】
開示された実施態様の更にもう一つの特徴は、排出管組立物14が操作者の保護手袋を挟んだり又は引き裂いたりすることを避けるように設計されていることである。例えば、装置の端は丸味を付けてある。更に、スイッチ24の取っ手52と収納部22の指取っ手40との間に間隔が空いていて、スイッチが完全に閉止された時でも手袋は取っ手の間に挟まれることはないであろう。加えて、排出管組立物14を完全に開放又は完全に閉止位置に維持するための掛金機構は、収納部22内に隠されて居るので、物を挟む害は示さない。
【００３４】
実際問題として、収納部22はスイッチ24を収納部内に設置させるような少なくとも二つの嵌め合い部材で形成されるべきである。しかし、開示した実施態様の収納部22は表及び裏収納部22a,22bから成っているけれども、その他の嵌め合い収納部配置が使用できることは正しく理解されるであろう。例えば、収納部は、スイッチ24の主軸46を収納部内に回転出来るように搭載させられるような面に沿って、二つの部分、例えば上及び下収納部、又は左及び右収納部、に分割することも出来るであろう。もう一つの代替物として、収納部22は二つより多い部分から構成することも出来るであろう、例えば、表収納部、裏収納部、及び表及び裏収納部を搭載する円筒形側壁部。
【００３５】
加えて、開示した実施態様のスイッチ24は収納部22の側壁41の溝孔39を貫通して延びている取っ手52を備えているが、収納部の外部からスイッチの回転運動を容易に行なうためのその他の手段が使用できることは、理解されるであろう。例えば、スイッチ24の主軸46は、収納部の前面壁を貫通して延びて、その先端部に搭載された握り又はクランクを具備してもよく、それにより使用者は握り又はクランクを掴んでそれを回し、スイッチが排出管組立物を開放又は閉止させるよう操作することが出来る。
【００３６】
本発明は多くの利点を提供する。収納部22は片手で掴むことが出来、その手の一本の指で取っ手52を動かして排出管を開放したり又は閉止したりして、片手操作が出来る。更に、出口管20は収納部22に関しては本質的に固定されているので、使用者は収納部を保持しながら流体放出の方向を制御できる。また、出口管20の下端33は収納部22下端の出口部41内の凹所に置かれているので、使用者の出口管との直接接触の可能性が極小化され、それにより汚染が避けられる。その上、収納部の側壁にある溝孔39内を滑動する取っ手52の動作が直観的に理解できるため、操作の容易性が高められる。
【００３７】
広い意味において、スイッチ24の留め金56、58及び鍔43、44が、協同して動作する掛金手段を構成していることも、同様に正しく理解されるであろう。開示された実施態様は、スイッチを「開放」又は「閉止」位置に保持するために収納部22の鍔43、44と噛み合うスイッチ24の留め金56、58を用いているが、その他の掛金手段が容易に代用されるであろう。例えば、留め金はスイッチの鍔と噛み合うように収納部上に形成されてもよく、又留め金は相互に噛み合ってスイッチを望みの位置に保持するように収納部とスイッチの両者に形成されてもよい。又は、スイッチ又は収納部のいずれか一つに設けられた要素が、スイッチ又は収納部のもう一方に設けられた協同して動作する要素と摩擦噛み合いして、スイッチを望みの位置に保持することも出来る。その他の掛金手段は、当業者には直ちに明らかになるであろう。
【００３８】
最後に、好ましい実施態様は一つの例として開示されていること、並びに当業者にとっては添付した特許請求の範囲と精神を逸脱することなくその他の修正物が思い付かれるであろうこと、が理解されるであろう。
【図面の簡単な説明】
【図１】  本発明によるスイッチ型排出管組立物付きの尿収集容器の正面図である。
【図２】  図1における尿収集容器の排出管組立物の分解図である。
【図３】  図2における排出管組立物の裏収納物の正面図である。
【図４】  図2における配水管組立物の弁部材の正面図である。
【図５】  内部の詳細を示すために表収納部を取り外した、図2の排出管組立物の開放位置にある場合の正面図である。
【図６】  内部の詳細を示すために表収納部を取り外した、図2の排出管組立物の閉止位置にある場合の正面図である。
【図７】  図2の排出管組立物の正面図である。
【図１】
0004109867.tif 000002
【図２】
0004109867.tif 000003
【図３】
0004109867.tif 000004
【図４】
0004109867.tif 000005
【図５】
0004109867.tif 000006
【図６】
0004109867.tif 000007
【図７】
0004109867.tif 000008